(57)【要約】【課題】ケーブル連絡部品とフラットケーブルとの接続解除を防止することが可能な遊技機の提供を目的とする。【解決手段】本発明のパチンコ遊技機１０は、サイド基板７４の支持平坦面に実装された基板側コネクタ７５からフラットケーブル８０が支持平坦面に沿う方向に延び、フラットケーブル８０の一端寄り部分を支持平坦面と平行な１対の平面で挟持した第１挟持部８１と、第１挟持部８１より基板側コネクタ７５寄り部分を支持平坦面と平行な１対の平面で挟持した第２挟持部８２とを備え、フラットケーブル８０が、第１挟持部８１とコネクタとの間で支持平坦面から離れる側に隆起するように第１挟持部８１及び第２挟持部８２を支持平坦面と直交する方向でずらしてある。【選択図】図１１
2014217616.tif 000002
【特許請求の範囲】
【請求項１】
１対のケーブル連絡部品の間で変形し得るフラットケーブルの一端が前記ケーブル連絡部品に備えられた支持平坦面にコネクタにて接続された遊技機において、
前記コネクタから前記フラットケーブルが前記支持平坦面に沿う方向に延び、
前記フラットケーブルの一端寄り部分を前記支持平坦面と平行な１対の平面で挟持した第１挟持部と、前記第１挟持部より前記コネクタ寄り部分を前記支持平坦面と平行な１対の平面で挟持した第２挟持部とを備え、
前記フラットケーブルが、前記第１挟持部と前記コネクタとの間で前記支持平坦面から隆起又は陥没するように前記第１挟持部と前記第２挟持部との間に高低差を設けたことを特徴とする遊技機。
【請求項２】
前記支持平坦面のうち前記コネクタに対して前記フラットケーブルが延びた側の側方位置に重ねられた第１の板状壁部と、
前記支持平坦面のうち前記第１の板状壁部と前記コネクタとの間に重ねられた第２の板状壁部と、
前記第２の板状壁部のうち前記支持平坦面とは反対側の面に重ねられた平面部材とを備え、
前記第１の板状壁部と前記支持平坦面との間で前記フラットケーブルを挟持して前記第１挟持部とすると共に、
前記第２の板状壁部と前記平面部材との間で前記フラットケーブルを挟持して前記第２挟持部としたことを特徴とする請求項１に記載の遊技機。
【請求項３】
前記支持平坦面に重ねて固定された固定プレートと、
前記固定プレートに貫通形成されて前記コネクタを受容したコネクタ受容開口部と、
前記固定プレートのうち前記コネクタに対して前記フラットケーブルが延びた側の側方位置に貫通形成されたケーブル挿通開口部とを備え、
前記固定プレートのうち、前記ケーブル挿通開口部と前記コネクタ受容開口部との間の部分を前記第２の板状壁部とし、
前記固定プレートのうち、前記ケーブル挿通開口部を挟んで前記第２の板状壁部とは反対側の部分を前記第１の板状壁部としたことを特徴とする請求項２に記載の遊技機。
【請求項４】
前記平面部材は、前記固定プレートのうち前記第２の板状壁部とコネクタとに跨って貼付されたシート状部材であることを特徴とする請求項２又は３に記載の遊技機。
【請求項５】
遊技の演出を行うための可動演出部品を備え、
前記固定プレートは、前記可動演出部品の後側に配置されて前記可動演出部品の裏面と対向し、
前記ケーブル連絡部品は、前記固定プレートのうち前記可動演出部品との対向面に重ねて固定された回路基板であることを特徴とする請求項１乃至４の何れか１の請求項に記載の遊技機。
【発明の詳細な説明】
【技術分野】
【０００１】
本発明は、遊技機に関する。
【背景技術】
【０００２】
この種の従来の遊技機としては、１対のケーブル連絡部品の間で変形し得るフラットケーブルの一端を、コネクタによってケーブル連絡部品に接続したものが知られている（例えば、特許文献１参照）。
【先行技術文献】
【特許文献】
【０００３】
【特許文献１】特開２０１１−２５０９５７号公報（段落［００４９］〜［００５０］、第２２図）
【発明の概要】
【発明が解決しようとする課題】
【０００４】
ところが、上述した従来の遊技機では、フラットケーブルの変形やフラットケーブルが引っ張られた場合にコネクタ接続が解除されてしまう虞があった。
【０００５】
本発明は、上記事情に鑑みてなされたものであって、ケーブル連絡部品とフラットケーブルとの接続解除を防止することが可能な遊技機の提供を目的とする。
【課題を解決するための手段】
【０００６】
上記目的を達成するためになされた請求項１の発明に係る遊技機は、１対のケーブル連絡部品の間で変形し得るフラットケーブルの一端がケーブル連絡部品に備えられた支持平坦面にコネクタにて接続された遊技機において、コネクタからフラットケーブルが支持平坦面に沿う方向に延び、フラットケーブルの一端寄り部分を支持平坦面と平行な１対の平面で挟持した第１挟持部と、第１挟持部よりコネクタ寄り部分を支持平坦面と平行な１対の平面で挟持した第２挟持部とを備え、フラットケーブルが、第１挟持部とコネクタとの間で支持平坦面から隆起又は陥没するように第１挟持部と第２挟持部との間に高低差を設けたところに特徴を有する。ここで、本発明における「支持平坦面と平行な平面」とは、「支持平坦面」そのものを含む意味である。即ち、支持平坦面と平行な「１対の平面」の一方が「支持平坦面」であってもよい。
【０００７】
請求項２の発明は、請求項１に記載の遊技機において、支持平坦面のうちコネクタに対してフラットケーブルが延びた側の側方位置に重ねられた第１の板状壁部と、支持平坦面のうち第１の板状壁部とコネクタとの間に重ねられた第２の板状壁部と、第２の板状壁部のうち支持平坦面とは反対側の面に重ねられた平面部材とを備え、第１の板状壁部と支持平坦面との間でフラットケーブルを挟持して第１挟持部とすると共に、第２の板状壁部と平面部材との間でフラットケーブルを挟持して第２挟持部としたところに特徴を有する。  
【０００８】
請求項３の発明は、請求項２に記載の遊技機において、支持平坦面に重ねて固定された固定プレートと、固定プレートに貫通形成されてコネクタを受容したコネクタ受容開口部と、固定プレートのうちコネクタに対してフラットケーブルが延びた側の側方位置に貫通形成されたケーブル挿通開口部とを備え、固定プレートのうち、ケーブル挿通開口部とコネクタ受容開口部との間の部分を第２の板状壁部とし、固定プレートのうち、ケーブル挿通開口部を挟んで第２の板状壁部とは反対側の部分を第１の板状壁部としたところに特徴を有する。
【０００９】
請求項４の発明は、請求項２又は３に記載の遊技機において、平面部材は、固定プレートのうち第２の板状壁部とコネクタとに跨って貼付されたシート状部材であるところに特徴を有する。
【００１０】
請求項５の発明は、請求項１乃至４の何れか１の請求項に記載の遊技機において、遊技の演出を行うための可動演出部品を備え、固定プレートは、可動演出部品の後側に配置されて可動演出部品の裏面と対向し、ケーブル連絡部品は、固定プレートのうち可動演出部品との対向面に重ねて固定された回路基板であるところに特徴を有する。
【発明の効果】
【００１１】
［請求項１の発明］
請求項１の発明によれば、フラットケーブルが、ケーブル連絡部品の支持平坦面に沿って延びており、そのフラットケーブルの一端寄り部分が、支持平坦面と平行な１対の平面で挟持され、さらにその挟持部（第１挟持部）よりコネクタ寄り部分が、支持平坦面と平行な１対の平面で挟持されている（第２挟持部）。そして、第１挟持部と第２挟持部との間に高低差が設けられて、フラットケーブルが第１挟持部とコネクタとの中間において支持平坦面から離れる側に隆起又は陥没している。即ち、フラットケーブルの一端寄り部分と、さらにコネクタ寄りの部分との２箇所が「面」で挟持されると共に、フラットケーブルが一端寄り部分とコネクタとの中間部分に曲げ部が形成されているから、１対のケーブル連絡部品の間でフラットケーブルが変形したり、フラットケーブルが引っ張られたりしても、コネクタ接続された部分に力が掛かり難くなる。これにより、ケーブル連絡部品とフラットケーブルとの接続解除を防止することが可能になる。
【００１２】
［請求項２の発明］
請求項２の発明によれば、支持平坦面のうちコネクタに対してフラットケーブルが延びた側の側方位置には第１の板状壁部が重ねられ、支持平坦面のうち第１の板状壁部とコネクタとの間には、第２の板状壁部が重ねられている。フラットケーブルは、支持平坦面と第１の板状壁部との間で挟持されると共に、第２の板状壁部とその第２の板状壁部に重ねて固定された平面部材との間で挟持される。
【００１３】
［請求項３の発明］
請求項３の発明によれば、コネクタから延出したフラットケーブルは、固定プレートのコネクタ受容開口部から引き出されて、固定プレートの一部である第２の板状壁部と、その第２の板状壁部に重ねられた平面部材との間で挟持され、固定プレートのケーブル挿通開口部に進入して、固定プレートの一部である第１の板状壁部と支持平坦面との間で挟持される。
【００１４】
［請求項４の発明］
請求項４の発明によれば、平面部材は、第２の板状壁部に貼付されたシート状部材であるから、平面部材の着脱作業、即ち、第２挟持部によるフラットケーブルの挟持及び挟持解除の作業を容易に行うことができる。また、平面部材（シート状部材）は、第２の板状壁部とコネクタとに跨って貼付されているから、フラットケーブルとコネクタとの接続部分を保護することができる。
【００１５】
［請求項５の発明］
請求項５の発明によれば、回路基板を固定するための固定プレートを利用して、フラットケーブルを挟持することができる。
【図面の簡単な説明】
【００１６】
【図１】本発明の一実施形態に係るパチンコ遊技機の正面図
【図２】遊技板の正面図
【図３】裏セット盤の正面図
【図４】第１の表示連動装飾装置の正面図
【図５】第１の表示連動装飾装置の背面図
【図６】第１の表示連動装飾装置の部分拡大図
【図７】第１の装飾部材及び可動盤の背面側斜視図
【図８】第１の表示連動装飾装置の背面図
【図９】第１の表示連動装飾装置の背面図
【図１０】第１の表示連動装飾装置の（Ａ）収納状態における側断面図、（Ｂ）展開状態における側断面図
【図１１】サイド基板とフラットケーブルとの接続部近傍の（Ａ）平面図，（Ｂ）Ｘ−Ｘ切断面における断面図
【図１２】変形例に係るサイド基板とフラットケーブルとの接続部分近傍の（Ａ）平面図、（Ｂ）Ｘ−Ｘ切断面における断面図
【図１３】変形例に係るフラットケーブルとケーブル連絡部品との接続部分の断面図
【図１４】変形例に係るフラットケーブルとケーブル連絡部品との接続部分の断面図
【発明を実施するための形態】
【００１７】
以下、本発明を適用したパチンコ遊技機１０に係る一実施形態を、図１〜図１１に基づいて説明する。図１に示すように、パチンコ遊技機１０は、遊技球が流下可能な略円形の遊技領域Ｒ１を備え、その遊技領域Ｒ１をパチンコ遊技機１０の前面から視認可能となっている。遊技領域Ｒ１には、表示装置３０が配置されており、表示装置３０の周囲には、入賞ゲート１６、風車１７及び複数の入賞部１８，２２，２３，４０が配置されている。
【００１８】
遊技領域Ｒ１の下方には、遊技球を貯留可能な上皿１２及び下皿１３が上下二段にして設けられている。下皿１３の右側方には、発射操作ノブ１４が備えられ、この発射操作ノブ１４を回動操作することで、図示しない発射装置から遊技領域Ｒ１に向かって遊技球が発射される。遊技領域Ｒ１を流下する遊技球が、遊技領域Ｒ１に配置された各種入賞部１８，２２，２３，４０に入球すると、賞球として所定数の遊技球が上皿１２に払い出される。また、入賞部１８，２３への入球を契機として、表示装置１５では表示演出が行われる。
【００１９】
図２には、遊技領域Ｒ１を前面に備えた遊技板１１が示されている。遊技板１１のうち遊技領域Ｒ１の中央には、図示しない表示枠取付窓が貫通形成されている。また、遊技板１１の裏面には、図３に示した裏セット盤５０が備えられ、その裏セット盤５０に固定された表示装置３０の液晶画面３０Ｇが表示枠取付窓を通して前方から視認可能となっている。なお、裏セット盤５０は、図３に示すように、遊技板１１の裏面と対向した主板壁５１と、その外縁部から前方に起立した囲壁５２とを有し、前後方向で扁平な箱形構造をなしている。そして、囲壁５２の前端縁から側方に張り出した複数の鍔壁５２Ａが遊技板１１の裏面に宛われて、裏セット盤５０が遊技板１１の裏面に固定されている。
【００２０】
図２に示すように、表示枠取付窓には、表示装飾枠３１が取り付けられている。表示装飾枠３１は周囲が囲壁で囲まれており、上方及び側方から表示装飾枠３１の内側に遊技球が進入しないように構成されている。
【００２１】
表示装置３０の右側方には入賞ゲート１６が設けられている。入賞ゲート１６は上下方向に貫通した門形構造をなし、遊技球が１つずつ通過可能となっている。
【００２２】
表示装置３０の下方には、第１始動入賞部１８が配置されている。第１始動入賞部１８は上面が開放したポケット構造をなしている。
【００２３】
第１始動入賞部１８の右側方には、大入賞部４０が設けられている。大入賞部４０は、遊技板１１の前面に開放した横長の大入賞口４１Ａを備え、その大入賞口４１Ａが横長の大入賞扉４２によって開閉可能となっている。大入賞扉４２は、大入賞口４１Ａの下端部を中心にして回動可能となっており、常には、図３に示す起立姿勢に保持されて、大入賞口４１Ａを閉鎖している。また、大入賞扉４２は、所定の条件が成立した場合（例えば、第１始動入賞部１８又は後述する第２始動入賞部２３への入賞時に行われた大当たり抽選で当選した場合）に、図示しないソレノイドによって前側に倒されて大入賞口４１Ａを開放する。このとき、大入賞扉４２が遊技領域Ｒ１を流下する遊技球を受け止めて大入賞口４１Ａへと誘導する。
【００２４】
図２に示すように、大入賞部４０の右側には、普通入賞部２２が１つ設けられている。また、第１始動入賞部１８を挟んで大入賞部４０とは反対側には、複数（３つ）の普通入賞部２２，２２が並んで配置されている。これら普通入賞部２２は、第１始動入賞部１８と同様に上面が開放したポケット構造をなしている。
【００２５】
第１始動入賞部１８の下方には、第２始動入賞部２３が設けられている。第２始動入賞部２３は、遊技板１１の前面に開放した始動入賞口２３Ａを備え、常には、その始動入賞口２３Ａが矩形の始動入賞扉２４にて閉鎖されている。始動入賞扉２４は、所定の条件が成立した場合（例えば、入賞ゲート１６への入賞時に行われた小当たり抽選で当選した場合）に前側に倒れて始動入賞口２３Ａが開放し、その倒れた始動入賞扉２４を案内にして始動入賞口２３Ａに遊技球が進入可能となっている。
【００２６】
第２始動入賞部２３の下方とその左右両側には、それぞれ独立した３つのアウト口１９が設けられている。上述した何れの入賞部１８，２２，２３，４０にも入らずに遊技領域Ｒ１の下端部まで達した遊技球は、これらアウト口１９によって遊技板１１の裏側に回収される。
【００２７】
第１始動入賞部１８と第２始動入賞部２３との間には、入賞連動装飾装置２９が設けられている。入賞連動装飾装置２９は、例えば、第１始動入賞部１８に遊技球が入賞した場合に作動する。
【００２８】
ところで、図３に示すように、裏セット盤５０の前面には、第１表示連動装飾装置６０（図４参照）と第２表示連動装飾装置９０とが取り付けられている。第１表示連動装飾装置６０と第２表示連動装飾装置９０は、共に裏セット盤５０の上辺部に取り付けられており、パチンコ遊技機１０の前後方向で重なり合った状態で表示装飾枠３１の裏側に配置されている（図１及び図２参照）。
【００２９】
詳細には、第１表示連動装飾装置６０と第２表示連動装飾装置９０は、それぞれ上下動可能な装飾部材６１，９１を備えており、通常は、第１表示連動装飾装置６０に備えた第１の装飾部材６１の一部が、第２表示連動装飾装置９０に備えた第２の装飾部材９１の裏側に隠れるように配置されている。そして、所定の条件が成立した場合（具体的には、始動入賞部への入賞により行われた抽選で当選した場合）に、第１の装飾部材６１と第２の装飾部材９１がそれぞれ下方に移動して表示装飾枠３１の裏側から出現し、これら第１と第２の装飾部材６１，９１と表示装飾枠３１とによって、液晶画面３０Ｇの一部を覆った立体造形物（例えば、液晶画面３０Ｇに登場するキャラクターの顔）が形成されるようになっている。
【００３０】
さて、本実施形態のパチンコ遊技機１０では、第１表示連動装飾装置６０に対して本発明が適用されている。以下、第１表示連動装飾装置６０について詳説する。第１表示連動装飾装置６０は、裏セット盤５０の前面に固定された横長の固定プレート７０と、その固定プレート７０の前面中央に上下動可能に取り付けられた可動盤７２（図７及び図９参照）と、その可動盤７２の前面に上下動可能に取り付けられた第１の装飾部材６１とから構成されている。固定プレート７０と可動盤７２及び、可動盤７２と第１の装飾部材６１は、それぞれ伸縮式のリニアガイドＬ１，Ｌ２によって連結されており（図７参照）、これらリニアガイドＬ１，Ｌ２の案内によって、可動盤７２及び第１の装飾部材６１がそれぞれ上下に往復動可能となっている。また、固定プレート７０の前面と第１の装飾部材６１の後面には、それぞれ上下方向に延びたラックギヤ６１Ｌ，７０Ｌが固定されており、可動盤７２には、互いに噛合した奇数個の歯車を上下方向に並べてなる歯車列７２Ｇが固定されている。歯車列７２Ｇの最上部の歯車とラックギヤ７０Ｌとが噛合し、歯車列７２Ｇの最下部の歯車とラックギヤ６１Ｌとが噛合して、固定プレート７０に対する可動盤７２の上下動と、可動盤７２に対する第１の装飾部材６１の上下動とが連動するように構成されている。可動盤７２及び第１の装飾部材６１は、図８から図９への変化に示すように、表示装飾枠３１の裏側に隠れた上端位置から自重によって下端位置まで降下するように構成されており、その降下した可動盤７２及び第１の装飾部材６１を、上端位置まで引き上げるためのモータ７３が、固定プレート７０の前面に固定されている（図３参照）。モータ７３と可動盤７２との間の動力伝達経路には、図示しない機械式のブレーキが備えられており、可動盤７２及び第１の装飾部材６１を上端位置に引き上げた状態でブレーキが作動して、可動盤７２及び第１の装飾部材６１を上端位置に停止保持し、そのブレーキが解除されると、可動盤７２及び第１の装飾部材６１が自重によって降下するようになっている。なお、モータ７３は、固定プレート７０のうち、第１の装飾部材６１の一側方にはみ出した長手方向の一端部（正面視左側の端部）に取り付けられている。
【００３１】
第１の装飾部材６１は、横長の立体造形部品６２（本発明の「可動演出部品」に相当する）と、その後面に宛がって固定された平板状の固定プレート６３とから構成されている。立体造形部品６２は、液晶画面３０Ｇに登場するキャラクターの一部分を模した形状をなしており、一部が透明又は半透明な透光部となっている。固定プレート６３の前面の長手方向の両端部には、１対のサイド基板７４，７４が敷設されており、固定プレート６３の前面の長手方向の中央部には、センター基板７６が敷設されている。１対のサイド基板７４，７４及びセンター基板７６の前面にはＬＥＤ７４Ａ，７５Ａが実装されている。また、第１の装飾部材６１の背面視右側に配設されたサイド基板７４とセンター基板７６には、背面視左側に配設されたサイド基板７４から延びかつ立体造形部品６２の裏側に這わされた図示しない配電ケーブルが接続されており、その配電ケーブルによって供給された電力によってＬＥＤ７４Ａ，７５Ａが点灯可能となっている。
【００３２】
さて、固定プレート７０のうちモータ７３から離れた端部（背面視左側の端部）には、中継基板７７が取り付けられている。詳細には、図６に示すように、固定プレート７０のうちモータ７３から離れた端部には、横長の作業用孔７０Ａが貫通形成されると共に、その端部前面には基板ブラケット７１が固定されている。基板ブラケット７１は後側、即ち、作業用孔７０Ａ側に開放した容器形構造をなしており、作業用孔７０Ａと対向した奥面に中継基板７７が固定されている。中継基板７７のうち作業用孔７０Ａとの対向した後面には、フレキシブルなフラットケーブル８０がコネクタ８６によって接続されている。コネクタ８６は、中継基板７７の後面に実装された雌形の基板側コネクタ７８と、フラットケーブル８０の一端部に固定されたケーブル側コネクタ８０Ｂとから構成され、基板側コネクタ７８は、中継基板７７の後面から突出しかつ下面が開放した偏平箱形構造をなしている。また、基板側コネクタ７８の側方には、電源入力コネクタ７７Ａが備えられている（図５参照）。
【００３３】
中継基板７７と、第１の装飾部材６１に備えられた背面視左側のサイド基板７４との間はフラットケーブル８０によって接続されており、フラットケーブル８０と前記配電ケーブル（図示せず）によって１対のサイド基板７４，７４及びセンター基板７６に実装されたＬＥＤ７４Ａ，７６Ａに電力が供給される。なお、以下の説明において「サイド基板７４」とは、特記しない限り、フラットケーブル８０によって中継基板７７と接続された背面視左側のサイド基板７４のことである。また、このサイド基板７４と中継基板７７は、本発明における「１対のケーブル連絡部品」に相当する。
【００３４】
サイド基板７４は、上述したように固定プレート６３の前面に重ねて固定されており、固定プレート６３には、サイド基板７４の後面Ｈ（以下、「支持平坦面Ｈ」という）の一部を露出させたケーブル挿通開口部６４とコネクタ受容開口部６５とが設けられている（図１１参照）。図７及び図９に示すように、ケーブル挿通開口部６４及びコネクタ受容開口部６５はそれぞれ矩形状をなすと共に、フラットケーブル８０が延びた方向、即ち、上下に並んで配設されており、下側に設けられたコネクタ受容開口部６５の内側に、コネクタ８５が受容されている。コネクタ８５は、サイド基板７４の支持平坦面Ｈに実装された雌形の基板側コネクタ７５と、フラットケーブル８０の端部に固定されたケーブル側コネクタ８０Ａとから構成されており、基板側コネクタ７５は、サイド基板７４の支持平坦面Ｈから突出して上面が開放した偏平箱形構造をなしている。また、図１１（Ｂ）に示すように、基板側コネクタ７５と固定プレート６３の後面は、ほぼ面一となっている。そして、フラットケーブル８０で接続された２つのコネクタ８５，８６が、固定プレート７０に対する第１の装飾部材６１の接離方向（上下方向）と平行な同一直線上に配置されている。即ち、フラットケーブル８０は、中継基板７７及びサイド基板７４に沿った方向（詳細には、雌側の各基板側コネクタ７５，７８が開放した方向）に延びている。
【００３５】
固定プレート６３のうち、ケーブル挿通開口部６４とコネクタ受容開口部６５との間の板状壁部６７と、ケーブル挿通開口部６４より上方（ケーブル挿通開口部６４を挟んで板状壁部６７とは反対側）の板状壁部６６は、それぞれ板厚方向の両面がサイド基板７４の支持平坦面Ｈと平行な平面となっておりかつ、フラットケーブル８０を幅方向に横断して延びている。以下、これら板状壁部６６，６７を「第１の板状壁部６６」及び「第２の板状壁部６７」という。
【００３６】
ここで、図１０に示すように、フラットケーブル８０のうち中継基板７７（コネクタ８６）寄り部分は、基板ブラケット７１とその前面に螺子止めされたクランプ板７１Ａとによって前後方向で挟持されている。これにより、フラットケーブル８０の中継基板７７寄り部分は、第１の装飾部材６１の上下方向の位置に拘わらず、常に、コネクタ８６から下方に延びてＵ字状に折り返された状態が維持されている。
【００３７】
図１０（Ａ）に示すように、可動盤７２及び第１の装飾部材６１が上端位置に配置されている場合、中継基板７７側のコネクタ８６よりもサイド基板７４側のコネクタ８５の方が上方に配置されている。このとき、フラットケーブル８０は、中継基板７７側のコネクタ８６から下方に延びてＵ字状に折り返してから、第１の装飾部材６１と固定プレート７０との間で上方に延び、固定プレート７０及び第１の装飾部材６１の上方で逆Ｕ字状に折り返して下方に延び、サイド基板７４側のコネクタ８５に達する。即ち、フラットケーブル８０は、中継基板７７とサイド基板７４との間で、所謂、三つ折り状態になっている。
【００３８】
図１０（Ｂ）に示すように、可動盤７２及び第１の装飾部材６１が固定プレート７０に対して降下して下端位置に配置された場合、サイド基板７４側のコネクタ８５が、中継基板７７側のコネクタ８６より下方に配置され、フラットケーブル８０がそれらコネクタ８５とコネクタ８６の間で上下方向に伸ばされる。詳細には、中継基板７７側のコネクタ８６から下方に延びてＵ字状に折り返してから、直ぐに、逆Ｕ字状に折り返して下方に延びている。このとき、フラットケーブル８０が緊張状態にならないように、フラットケーブル８０は、固定プレート７０に対する第１の装飾部材６１の直動ストロークに対して余裕を持った長さとなっている。
【００３９】
フラットケーブル８０のうち、サイド基板７４側のコネクタ８５寄りの部分は、図１１（Ｂ）に示すように、固定プレート６３の一部である第１の板状壁部６６とサイド基板７４との間に通されてケーブル挿通開口部６４から固定プレート６３の後面側に引き出され、固定プレート６３の一部である第２の板状壁部６７の後面側を跨いでコネクタ受容開口部６５内に引き込まれている。そして、サイド基板７４の支持平坦面Ｈに実装された基板側コネクタ７５にケーブル側コネクタ８０Ａがコネクタ接続されている。フラットケーブル８０は、第１の板状壁部６６とサイド基板７４との間で挟持されており、その挟持部８１よりもさらにコネクタ８５寄りの部分が、固定プレート６３の後面に貼付された平面部材８３と第２の板状壁部６７との間で挟持されている。そして、第１の板状壁部６６とサイド基板７４とによる挟持部８１（以下、「第１挟持部８１」という）と、第２の板状壁部６７と平面部材８３とによる挟持部８２（以下、「第２挟持部８２」という）とが、サイド基板７４の支持平坦面Ｈと直交する方向で固定プレート６３の板厚分だけずらされている（高低差が設けられている）。即ち、第２挟持部８２が第１挟持部８１よりもサイド基板７４の支持平坦面Ｈから離して配置されている。ここで、図１１（Ａ）に示すように、平面部材８３は、矩形のシート状をなすと共に、自己吸着力又は粘着剤によって固定プレート６３（第２の板状壁部６７）の後面に貼り付けられている。また、平面部材８３は、第２の板状壁部６７と基板側コネクタ７８とに跨って貼付されている。なお、図９及び図１０では、説明の便宜のため、平面部材８３が省略されている。
【００４０】
本実施形態のパチンコ遊技機１０の構成は以上である。次に本実施形態の作用を説明する。遊技領域Ｒ１に打ち込まれた遊技球は、遊技領域Ｒ１に配置された障害釘、表示装飾枠３１、風車１７等に接触して、ランダムな経路で流下する。遊技球が入賞ゲート１６を通過すると小当たり抽選が行われる。小当たり抽選に当選すると、第２始動入賞部２３に備えた始動入賞扉２４が前側に倒れて始動入賞口２３Ａが開放し、始動入賞扉２４を案内にして始動入賞口２３Ａに遊技球が入賞可能となる。また、第１始動入賞部１８又は第２始動入賞部２３に遊技球が入賞すると、大当たり抽選が行わる。大当たり抽選に当選すると、大入賞部４０に備えた大入賞扉４２が、図３に示す起立姿勢から、図４に示す前倒れ姿勢へと変化して大入賞口４１Ａが開放し、大入賞扉４２を案内にして大入賞口４１Ａに遊技球が入球可能となる。
【００４１】
また、大当たり抽選に当選すると、表示装置３０の液晶画面３０Ｇで所定の表示演出が行われると共に、その表示演出にあわせて、第１と第２の表示連動装飾装置６０，９０が作動する。即ち、常には上端位置で待機している第１の装飾部材６１と第２の装飾部材９１とが、表示演出にあわせて降下して表示装飾枠３１の裏側から現れ、表示装飾枠３１と第１及び第２の装飾部材６１，９１とによって、液晶画面３０Ｇを覆う立体造形物が完成する。また、予め定められた演出時間が経過すると、第１と第２の装飾部材６１，９１はモータ７３によって引き上げられて表示装飾枠３１の裏側に隠れ、表示演出と連動した第１と第２の装飾部材６１，９１による演出が終了する。
【００４２】
さて、図１０（Ａ）から同図（Ｂ）への変化に示すように、第１の表示連動装飾装置６０が作動して、第１の装飾部材６１が上下動すると、これに伴い、中継基板７７とサイド基板７４との間を接続したフラットケーブル８０が屈伸動作をする。
【００４３】
これに対し、フラットケーブル８０のうち、中継基板７７側のコネクタ８６寄り部分は、基板ブラケット７１とその前面に螺子止めされたクランプ板７１Ａとの間で挟持されているので、その挟持部分よりも末端側に位置するコネクタ８６に力が掛かることを防止することができ、フラットケーブル８０と中継基板７７（ケーブル側コネクタ８０Ｂと基板側コネクタ７８）との接続解除を防止することが可能になる。
【００４４】
一方、フラットケーブル８０のうち、サイド基板７４側のコネクタ８５寄り部分は、第１挟持部８１、即ち、固定プレート６３における第１の板状壁部６６とサイド基板７４の支持平坦面Ｈとの間で挟持されると共に、その第１挟持部８１よりコネクタ８５に近い部分が、第２挟持部８２、即ち、第２の板状壁部６７と平面部材８３との間で挟持されている。これら第１挟持部８１と第２挟持部８２は、サイド基板７４の支持平坦面Ｈと直交する方向で互いにずらして配置されており（高低差が設けられており）、フラットケーブル８０が、第１挟持部８１とコネクタ８５との間で、サイド基板７４の支持平坦面Ｈから離れるように隆起している。つまり、フラットケーブル８０の一端寄り部分と、さらにコネクタ８５寄り部分との２箇所が「面」で挟持される共に、フラットケーブル８０が、第１挟持部８１とコネクタ８５との中間部分である第２挟持部８２において曲げられているから、第２挟持部８２よりも末端側に位置するコネクタ８５に力が掛かることを防止することができる。即ち、上述の如くフラットケーブル８０が屈伸動作をしたり、フラットケーブル８０が基板側コネクタ７５から離れる側（上方）に引っ張られたりしても、フラットケーブル８０とサイド基板７４（ケーブル側コネクタ８０Ａと基板側コネクタ７５）との接続解除を確実に防止することが可能になる。
【００４５】
さらに、第２挟持部８２のうち、フラットケーブル８０を第２の板状壁部６７との間で挟持した平面部材８３は、固定プレート６３に貼付されたシート状部材であるから、平面部材８３の着脱作業、即ち、第２挟持部８２によるフラットケーブル８０の挟持及び挟持解除の作業を比較的容易に行うことが可能になる。しかも、平面部材８３は、第２の板状壁部６７とコネクタ８５とに跨って貼付されているから、フラットケーブル８０とコネクタ８５との接続部分を平面部材８３によって保護することができる。
【００４６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）上記実施形態では、パチンコ遊技機１０に本発明を適用していたが、遊技機であれば、コイン遊技機やスロットマシン、アレンジボール等に本発明を適用してもよい。
【００４８】
（２）上記実施形態では、第１の表示連動装飾装置６０に本発明を適用していたが、第２の表示連動装飾装置９０に本発明を適用してもよい。また、これら表示連動装飾装置６０，９０以外の部位に本発明を適用してもよい。
【００４９】
（３）上記実施形態では、平面部材８３をシート状部材で構成していたが、平面部材８３は、例えば、固定プレート６３の一部である第２の板状壁部６７に重ねて螺子止めされた板状部材でもよい。
【００５０】
（４）また、平面部材８３としてのシート状部材は、第２の板状壁部６７とコネクタ８５とに跨って貼付されていたが、固定プレート６３（第２の板状壁部６７）の後面だけに貼付されていてもよい。
【００５１】
（５）上記実施形態では、本発明に係る１対のケーブル連絡部品として回路基板（中継基板７７及びサイド基板７４）を例示したが、回路基板以外の電子機器でもよい。
【００５２】
（６）上記実施形態では、固定された第１のケーブル連絡部品（中継基板７７）に対して、第２のケーブル連絡部品（サイド基板７４）が接離可能な構成であったが、固定された第２のケーブル連絡部品に対して第１のケーブル連絡部品が接離可能な構成でもよいし、第１と第２のケーブル連絡部品の双方が互いに接離可能な構成でもよい。そして、第２のケーブル連絡部品のみならず、第１のケーブル連絡部品とフラットケーブル８０との接続部分に本発明を適用してもよい。具体的には、上記実施形態において、フラットケーブル８０を中継基板７７の後面に沿った方向に延ばして、そのフラットケーブル８０のコネクタ８６寄り部分を第１の挟持部で挟持し、その第１の挟持部よりもさらにコネクタ８６に近い部分を第２挟持部で挟持してもよい。
【００５３】
（７）上記実施形態では、固定プレート６３にコネクタ受容開口部６４とケーブル挿通開口部６５を形成して、それら２つの開口部６４，６５の間にフラットケーブル８０を横断する第２の板状壁部６７を形成していたが、その第２の板状壁部に相当する部分を、サイド基板７４（ケーブル連絡部品）に一体に設けてもよい。具体的には、図１２に示すように、上記実施形態における第２の板状壁部６７を切除して、ケーブル挿通開口部６４とコネクタ受容開口部６５とが繋がった形状の１つの開口部６８を形成し、第２の板状壁部６７の替わりにサイド基板７４の支持平坦面Ｈから台地状に隆起させた台地部７９を開口部６８に突入させて、その台地部７９と平面部材８３との間でフラットケーブル８０を挟持してもよい。
【００５４】
（８）さらに、上記実施形態では、固定プレート６３がサイド基板７４の支持平坦面Ｈの全体に重ねられていたが、固定プレート６３が、サイド基板７４のうち、コネクタ８５（基板側コネクタ７５及びケーブル側コネクタ８０Ａ）に対してフラットケーブル８０が延びた側の側方部分だけに重なるようにして、その固定プレート６３にケーブル挿通開口部６４のみを貫通形成した構成としてもよい。
【００５５】
（９）上記実施形態では、第１挟持部８１とコネクタ８５（基板側コネクタ７５及びケーブル側コネクタ８０Ａ）との中間部分で、フラットケーブル８０がサイド基板７４の支持平坦面Ｈに対して隆起するように第１挟持部８１及び第２挟持部８２が配置されていたが、例えば、図１３に示すように、第１挟持部８１とコネクタ８５との中間部分で、フラットケーブル８０が支持平坦面Ｈに対して陥没するように第１挟持部８１及び第２挟持部８２を配置してもよい。具体的には、ケーブル連絡部品Ｂには、支持平坦面Ｈに対して陥没した凹部Ｂ１が設けられ、支持平坦面Ｈに重ねられた固定プレートＰには、凹部Ｂ１に向かって突出した凸部Ｐ１が形成されている。凹部Ｂ１の底面及び凸部Ｐ１の先端面は共に支持平坦面Ｈと平行な平面となっている。コネクタ８５から延出されたフラットケーブル８０は、凹部Ｂ１内を延びて凹部Ｂ１の底面と凸部Ｐ１の先端面との間で挟持され、凹部Ｂ１から導出されて支持平坦面Ｈと固定プレートＰとの間で挟持される。このような構成としても、上記第１実施形態と同等の効果を奏する。
【００５６】
（１０）上記実施形態では、図１１（Ｂ）に示すように、フラットケーブル８０を挟持した第１挟持部８１の１対の平面のうち、一方の平面が支持平坦面Ｈであったが、例えば、図１４（Ａ）及び同図（Ｂ）に示すように、第１挟持部８１は、支持平坦面Ｈと平行かつ支持平坦面Ｈとは異なる１対の平面によってフラットケーブル８０を挟持した構成としてもよい。
【符号の説明】
【００５７】
１０    パチンコ遊技機（遊技機）
６０    第１表示連動装飾装置
６２    立体造形部材（可動演出部品）
６３    固定プレート
６４    ケーブル挿通開口部
６５    コネクタ受容開口部
６６    第１の板状壁部
６７    第２の板状壁部
７４    サイド基板（ケーブル連絡部品）
７７    中継基板（ケーブル連絡部品）
８０    フラットケーブル
８５    コネクタ
８６    コネクタ
８１    第１挟持部
８２    第２挟持部
８３    平面部材
【図１】
2014217616.tif 000003
【図２】
2014217616.tif 000004
【図３】
2014217616.tif 000005
【図４】
2014217616.tif 000006
【図５】
2014217616.tif 000007
【図７】
2014217616.tif 000008
【図８】
2014217616.tif 000009
【図９】
2014217616.tif 000010
【図１０】
2014217616.tif 000011
【図１３】
2014217616.tif 000012
【図１４】
2014217616.tif 000013
【図６】
2014217616.tif 000014
【図１１】
2014217616.tif 000015
【図１２】
2014217616.tif 000016